(57)【要約】【課題】風合いと吸水性に優れるトイレットパーパーを提供する【解決手段】  ２プライであり、１プライの坪量が１５．８〜１７．８ｇ／ｍ2であり、一過性湿潤紙力剤及び乾燥紙力剤を含み、縦方向の乾燥引張強度が７００〜８００ｃＮ／２５ｍｍである、トイレットペーパーにより解決される。【選択図】なし【特許請求の範囲】
【請求項１】
２〜３プライであり、
１プライの坪量が１５．８〜１７．８ｇ／ｍ2であり、
一過性湿潤紙力剤及び乾燥紙力剤を含み、
縦方向の乾燥引張強度が７００〜８００ｃＮ／２５ｍｍである、
ことを特徴とする、トイレットペーパー。
【請求項２】
吸水量が１．１〜２．０ｃｃである請求項１記載のトイレットペーパー。
【請求項３】
前記トイレットペーパーは、原料パルプに対して前記一過性湿潤紙力剤を０．０１〜０．０３質量％、前記乾燥紙力剤を０．００５〜０．１５質量％添加して形成されている、請求項１又は２記載のトイレットペーパー。
【発明の詳細な説明】
【技術分野】
【０００１】
本発明は、トイレットペーパーに関する。
【背景技術】
【０００２】
洗浄機能付きトイレともいわれるシャワートイレの普及にともない、トイレットペーパーにおいては、シャワートイレにおける使用に適することが求められている（下記、特許文献１）。
【０００３】
洗浄機能を使用すると肌に多くの水分が付着するため、トイレットペーパーには、多くの水分が付着した肌へのふき取り性、特に吸水性が高いことが重要となる。
【０００４】
しかしながら、従来のトイレットペーパーは、洗浄機能を使用した後に拭き取りをすると、肌に付着した水分によって濡れ、破れたり、水分が手にまで浸透するといった問題があった。
【０００５】
また、シャワートイレでは、丈夫さや厚み感を高めて消費者が使用した際の安心感を得るためにプライ数を多くすることも考えられるが、トイレットペーパーは、トイレットロールとした際の直径の制限から、プライ数を多くすると１プライあたりの厚みを薄くする必要があるため、プライ数を過度に多くすると表層のプライが肌に付着した水分によって破れやすくなる。また、過度に丈夫さや厚み感を高めるようにすると風合いが低下する。
【先行技術文献】
【特許文献】
【０００６】
【特許文献１】特許第５３１７９９５号
【特許文献１】特許第４７７６９８９号
【発明の概要】
【発明が解決しようとする課題】
【０００７】
そこで、本発明の主たる課題は、トイレットペーパーとしての風合いに優れ、シャワートイレを使用しようした後の水分が付着した肌をふき取る際において十分な強度があり、安心感のある高い水分吸収性を有し、水分が手に浸透しがたいトイレットペーパーを提供することにある。
【課題を解決するための手段】
【０００８】
上記課題を解決した第一の手段は、
２〜３プライであり、
１プライの坪量が１５．８〜１７．８ｇ／ｍ2であり、
一過性湿潤紙力剤及び乾燥紙力剤を含み、
縦方向の乾燥引張強度が７００〜８００ｃＮ／２５ｍｍである、
ことを特徴とする、トイレットペーパーである。
【０００９】
第二の手段は、
吸水量が１．１〜２．０ｃｃである上記第一の手段に係るトイレットペーパーである。
【００１０】
第三の手段は、
前記トイレットペーパーは、原料パルプに対して前記一過性湿潤紙力剤を０．０１〜０．０３質量％、前記乾燥紙力剤を０．００５〜０．１５質量％添加して形成されている、上記第一又は第二の手段に係るトイレットペーパーである。
【発明の効果】
【００１１】
本発明によれば、風合いに優れ、シャワートイレを使用しようした後の水分が付着した肌をふき取る際において十分な強度があり、安心感のある高い水分吸収性を有し、水分が手に浸透しがたいトイレットペーパーが提供される。
【図面の簡単な説明】
【００１２】
【図１】本発明の実施形態に係るトイレットロールの斜視図である。
【図２】本発明に係るエンボス深さの測定手順を説明するための概略図である。
【発明を実施するための形態】
【００１３】
本実施形態に係るトイレットペーパーは、２プライ又は３プライである。つまり、２枚又は３枚が重ねられているものである。３プライを超える多プライとすると、一般的なトイレットロールの製品形態とした場合に、１プライを薄くする必要があり、全体としての紙厚を厚くすることができるが、特にシャワートイレを使用しようした後の水分が付着した肌をふき取った際に、表層のプライが破れやすくなる。
【００１４】
なお、ここでいうトイレットロールの製品形態としては、図１に示されるように、帯状のトイレットペーパー１０を２０〜４０ｍ、紙管（管芯とも称される）２０にロール状に巻いた形態である。そのトイレットロールは、巻径Ｌ２（直径）１１０〜１１５ｍｍである。トイレットロールの巻径は、ＪＩＳ  Ｐ  ４５０１において、１２０ｍｍ以下と定められており、一般的なトイレットロールをセットするためのホルダーはこの１２０ｍｍを基準として作成されている。本発明のトイレットロールは、巻径が１１０〜１１５ｍｍとすることができ、一般的なホルダーに十分にセット可能な大きさにすることができる。ここで、巻径は、ムラテックＫＤＳ株式会社製ダイヤメータールール又はその相当機を用いて測定した値である。測定値は、幅方向に場所を変えて３個所測定した平均値である。なお、同一製造ロット品における平均値は５個のロールの平均値とする。
【００１５】
他方で、本実施形態に係るトイレットペーパーでは、１プライあたり坪量が１５．８ｇ/ｍ2以上１７．８ｇ／ｍ2以下である。１プライの坪量がこの範囲内であれば上記２又は３プライの際に、十分な破れにくさとすることができる。
【００１６】
他方で、本発明に係るトイレットペーパーは、構成する繊維の７５〜９０質量％が広葉樹由来のパルプであるのが望ましい。広葉樹由来のパルプは繊維長が短く、紙表面の地合いを良好にしやすい。本発明に係るトイレットペーパーは、後述するように２又は３プライとプライ数が複数であるうえ乾燥紙力が高い。このようなトイレットペーパーは、硬質な感じが高まりやすいが、広葉樹由来のパルプを７５質量％以上とすることで滑らかさが高まり、使用時に硬さを感じ難いものとなりやすい。なお、広葉樹由来のパルプとしては、ＬＢＫＰ、ＬＵＫＰ、ＬＯＫＰなどが知られるが、漂白処理されたＬＢＫＰであるのが望ましい。なお、広葉樹由来のパルプ以外の繊維としては、針葉樹由来のパルプであるのが望ましい。この場合、塩素漂白されたＮＢＫＰであるのが望ましい。
【００１７】
他方で、本発明に係るトイレットペーパーは、一過性湿潤紙力剤及び乾燥紙力剤を含む。乾燥紙力剤を含むことで乾燥引張強度が高まる。また、乾燥引張強度が高まると吸水性も高まる。しかし、乾燥紙力剤のみで乾燥引張強度を高めると水解性が悪化し、また、紙が硬質となって風合いや使用感が低下しやすい。他方で、一過性湿潤紙力剤は、拭き取り時の短期的な水分との接触によって水解せず、水性トイレ内のトラップに溜まる十分な量の水分に対して十分な水解性を有しつつ、紙力については乾燥紙力剤のみを使用する時に比べやや低下させて風合いを良好にする。本発明では、乾燥紙力剤ととともに一過性湿潤紙力剤を含むようにすることで、トイレットペーパーとしての風合いに優れ、シャワートイレを使用しようした後の水分が付着した肌をふき取る際において十分な強度があり、安心感のある高い水分吸収性を有し、水分が手に浸透しがたいトイレットペーパーとなる。ここで、具体的な乾燥引張強度としては、本発明に係るトイレットペーパーでは、縦方向の乾燥引張強度が、７００〜８００ｃＮ／２５ｍｍとする。この乾燥引張強度は、一般的に市販される汎用タイプのトイレットペーパーの２倍を超える高い乾燥引張強度である。乾燥紙力剤の添加のみでこの紙力とすると上述のように、紙が硬質となって風合いや使用感が低下しやすくなるが、一過性湿潤紙力剤を含むようにすることで、上記の優れた効果を奏する。
【００１８】
本発明に係るトイレットペーパーの吸水量については、１．１〜２．０ｃｃであるのが望ましい。この吸水量は、一般的に市販される汎用タイプのトイレットペーパーの２倍を超える高い吸水量である。本発明に係るトイレットペーパーは、一過性湿潤紙力剤及び乾燥紙力剤を含み、縦方向の乾燥引張強度を７００〜８００ｃＮ／２５ｍｍとすることで、このような高い吸水量とすることができる。この吸水量は、重ね合せた試料上に水を一定速度で滴下した時、検査紙が水を保持できる量である。測定方法は、前処理として試料を恒温恒湿機に入れ温度２３度±１度・湿度５０％±２％の条件下で４時間以上キュアリングする。試料を製品の姿で１０組重ね、試料台に置き固定する。試料台は、直径１０ｃｍの孔の空いた台であり、この孔部分を塞ぐように試料を固定することができる。また、試料の孔を塞いだ部分の下面側を目視にて確認できるものである。次いで、試料台に試料を固定した後には、前記試料の下面側を注視しながら、ビュレットより１０±２ｍＬ／分で純水を滴下する。試料の滴下面と反対の面である下面側に水の沁み出しが確認できた段階で滴下を停止し、滴下した水の量をビュレットの目盛りより確認し、吸水量とする。
【００１９】
なお、横方向の乾燥引張強度は２００ｃＮ／２５ｍｍ以上３５０ｃＮ／２５ｍｍ以下、であるのが望ましい。ここで、紙の縦方向とは、ＭＤ方向とも呼ばれ、抄紙の際の流れ方向である。紙の横方向は、ＣＤ方向とも呼ばれ、抄紙の際の流れ方向（ＭＤ方向）に直行する方向である。また、本発明に係る乾燥引張強度は、ＪＩＳ Ｐ ８１１３（２００６）に基づいて測定した値であり、次のようにして測定する。試験片は縦・横方向ともに巾２５ｍｍ（±０．５ｍｍ）×長さ１５０ｍｍ程度に裁断したものを用いる。試験片は複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は１００ｍｍ／ｍｉｎに設定する。測定は、試験片の両端を試験機のつかみに締め付け、紙片を上下方向に引張り荷重をかけ、紙が破断する時の指示値（デジタル値）を読み取る手順で行う。縦方向、横方向ともに各々５組の試料を用意して各５回ずつ測定し、その測定値の平均を各方向の乾燥引張強度とする。
【００２０】
また、本発明に係るトイレットペーパーは、縦方向の湿潤引張強度が５０ｃＮ／２５ｍｍ以上９０ｃＮ／２５ｍｍ以下、であるのが望ましい。横方向の湿潤引張強度は２５ｃＮ／２５ｍｍ以上４０ｃＮ／２５ｍｍ以下、であるのが望ましい。湿潤引張強度は、ＪＩＳ  Ｐ  ８１３５（１９９８）に基づいて測定した値であり、次のようにして測定する。試験片は縦・横方向ともに巾２５ｍｍ（±０．５ｍｍ）×長さ１５０ｍｍ程度に裁断したものを用いる。トイレットペーパーは複数プライの場合は複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は５０ｍｍ／ｍｉｎに設定する。試験片は、１０５℃の乾燥機で１０分間のキュアリングを行ったものを用いる。試験片の両端を試験機のつかみに締め付けた後、水を含ませた平筆を用い、試験片の中央部に約１０ｍｍ幅で水平に水を付与し、その後、直ちに紙片に対して上下方向に引張り荷重をかけ、紙が破断する時の指示値（デジタル値）を読み取る手順で測定を行う。縦方向、横方向ともに各々５組の試料を用意して各５回ずつ測定し、その測定値の平均を各方向の湿潤引張強度とする。
【００２１】
本発明に係るトイレットペーパーにおける乾燥紙力増強剤は、原料パルプに対して０．００５〜０．１５質量添加するのが望ましい。乾燥紙力剤の種類は、必ずしも限定されないが、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛が挙げられる。なかでも特に望ましい乾燥紙力増強剤は、０．０１質量％添加時した坪量１６.０〜１７．５ｇ／ｍ2のシートの縦方向の乾燥引張強度が６００〜７００ｃＮ／２５ｍｍの範囲に調整されるものである。
【００２２】
本発明に係るトイレットペーパーにおける一過性湿潤紙力剤は、原料パルプに０．０１〜０．０３質量％添加するのが望ましい。一過性湿潤紙力剤は、必ずしも限定されないが、ポリアミドポリアミンエピクロルヒドリン樹脂、尿素樹脂、酸コロイド・メラミン樹脂、熱架橋性塗工ＰＡＭ、星光ＰＭＣ株式会社社製のＴＳ−２０、グリオキシル化ポリアクリルアミド、カチオン性グリオキシル化ポリアクリルアミドなどのポリマーアルデヒド−官能性化合物、グリオキザールの二価のアルデヒドで変性したアクリルアミドモノマーと他の共重合可能な不飽和モノマーの共重合体又はジアルデヒド澱粉が挙げられる。なかでも特に望ましい一過性湿潤紙力剤は、０．０２質量％添加時に、坪量１６.０〜１７．５ｇ／ｍ2のシートの縦方向の乾燥引張強度が５００〜６００ｃＮ／２５ｍｍの範囲に調整されるものである。より望ましい一過性湿潤紙力剤は、０．０２質量％添加時に、乾燥紙力剤０．０１質量％添加した際に６００〜７００ｃＮ／２５ｍｍの範囲に調整される坪量１６.０〜１７．５ｇ／ｍ2のシートの縦方向の乾燥引張強度をさらに７００〜８００ｃＮ／２５ｍｍの範囲にまで高めるものである。
【００２３】
また、本発明に係るトイレットペーパーは、ポリエチレンオキサイドを含むのがよい。表面の地合いが良好になり、水分が付着した肌をふき取る際において十分な強度としやすい。特に、ポリエチレンオキサイドは、分子量が６万をこえるものであるのがのぞましい。
【００２４】
他方、本発明に係るトイレットペーパーは、実質的に保湿剤が塗布されていない保湿剤非塗布のものであるが望ましい。本発明に係る外添剤としての保湿剤は、吸湿によって紙力を低下させるポリオール類である。例えば、グリセリンである。但し、保湿性のトイレットペーパーというに値しない程度にしか影響を与えない程度であれば、上記成分が含有されていることは否定されない。
【００２５】
本発明に係るトイレットペーパーは、抄紙時に内添する原紙自体の柔らかさや紙力を定める柔軟剤や柔軟保湿剤は適宜に添加することができる。
【００２６】
ここで、本発明に係るトイレットペーパーは、エンボス加工がされていてもよい。そのエンボスパターンは必ずしも限定されるわけではない。エンボスは、マイクロエンボスやドット型のエンボス、デザインエンボス等の適宜のエンボスパターンとすることができる。本発明に係る好適なエンボスパターンは、凹部の面積が１．０〜２．５ｍｍ2で、密度が５．０〜５０個／ｃｍ2で、エンボス深さが、０．１〜０．３ｍｍである。トイレットペーパーとしての肌触りがより向上する。また、エンボス加工は、シングルエンボスと称される１プライ又は複数プライ積層状態で一方面から凸部に押されて付与されるエンボスであってもよいし、ダブルエンボスと称される、１プライ又は複数プライ積層状態で一方面から凸部に押されて凹部を形成した後に、他の１プライ又は複数積層プライのシートと重ねて形成したものでもよい。後者の場合重ねる他の１プライ又は複数積層プライのシートについても一方面が凹部となるようにエンボス加工を施し、凹部が両面に位置するように重ねられたものがより望ましい。ダブルエンボスの場合、一方面を構成するシートの凸部の頂部に接着剤等を付与して両シートを接着する態様としてもよい。本発明では特にダブルエンボスが吸水性を高めやすく望ましい。
【００２７】
エンボスの深さは、株式会社キーエンス社製ワンショット３Ｄ測定マクロスコープ  ＶＲ−３２００又はその相当機と、画像解析ソフトウェア「ＶＲ−Ｈ１Ａ」又はその相当ソフトウェアにより測定した値である。測定は、倍率１２倍、視野面積２４ｍｍ×１８ｍｍの条件で測定する。但し、倍率と視野面積は、エンボス（凹部）の大きさによって、適宜変更することができる。具体的な測定手順は、図２を参照して説明すると、上記ソフトウェアを用いて、平面視点で示される画像部（図中X部分）中の一つのエンボス（凹部）４０の周縁の最長部を横切る線分Ｑ１におけるエンボス深さ（測定断面曲線）プロファイルを得る。このエンボス深さプロファイルの断面曲線からλc：８００μｍ（但し、λｃはＪＩＳ−Ｂ０６０１「３.１.１.２」に記載の「粗さ成分とうねり成分との境界を定義するフィルタ」）より短波長の表面粗さの成分を低域フィルタによって除去して得られる断面視点で示される画像部（図中Ｙ部分）の「輪郭曲線Ｑ２」のうち、上に凸で最も曲がりが強くなる２つの凹部エッジ点Ｐ１，Ｐ２と、凹部エッジ点Ｐ１，Ｐ２で挟まれる最小値を求め、深さの最小値Ｍｉｎとする。さらに、凹部エッジ点Ｐ１，Ｐ２の深さの値の平均値を深さの最大値Ｍａｘとする。このようにして、エンボス深さ＝最大値Ｍａｘ−最小値Ｍｉｎとする。又、凹部エッジ点Ｐ１，Ｐ２のＸ−Ｙ平面上の距離（長さ）を最長部の長さと規定する。上記の上に凸で最も曲がりが強くなる２つの凹部エッジ点Ｐ１，Ｐ２は目視にて選択する。なお、その選択にあたっては、当該測定中のエンボス（凹部）４０の平面視点の画像中の輪郭Ｅを参考としてもよい。同様にして、最長部に垂直な方向での最短部についてもエンボス（凹部）の深さを測定し、大きい方の値をエンボス（凹部）の深さとして採用する。以上の測定を、トイレットペーパー表面の任意の１０個のエンボスについて行い、その平均値を最終的なエンボス深さとする。
【００２８】
なお、エンボスパターンの個々の凹部の面積についても、ワンショット３Ｄ測定マクロスコープ  ＶＲ−３２００又はその相当機と、画像解析ソフトウェア「ＶＲ−Ｈ１Ａ」又はその相当ソフトウェアにより測定して得た３Ｄ画像から目視でエンボス凹部の輪郭を確認し、輪郭内部の面積を測定する。トイレットペーパー表面の任意の１０個のエンボスについて行い、その平均値を最終的なエンボス凹部の面積とする。
【００２９】
他方で、本発明に係るトイレットペーパーは、トイレットペーパー全体としての紙厚が２００〜３００μｍであるのが望ましい。紙厚をこの範囲とすることで吸水量と柔らかさが向上されやすい。トイレットペーパーの紙厚の測定方法は、試験片をＪＩＳ Ｐ ８１１１（１９９８）の条件下で十分に（通常は、８時間程度）調湿した後、同条件下でダイヤルシックネスゲージ（厚み測定器）「ＰＥＡＣＯＣＫＨ型」（尾崎製作所製）を用いて複数プライの場合は複数プライのまま測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーを７００μｍに開いた状態からレバーを一気に下ろしそのときのゲージを読み取る。トイレットペーパーがエンボス加工されている場合には、構成する一つの凹部（凸部）が必ず測定台の範囲に入るようにする。なお、深さの異なる凹部が存在する場合には、最も深さの深い凹部が位置するようにする。この測定時には、プランジャーはのせるだけとして押えない。プランジャーの端子はゴム製で直径１０ｍｍの円形の平面が紙平面に対し垂直に当たるようにし、この紙厚測定時の荷重は、約７０ｇｆである。なお、紙厚は測定を１０回行って得られる平均値とする。ここで、紙厚の測定時には、エンボス（凹部）の潰れが想定されるが、本発明に係る紙厚は、そのような潰れも含んで測定した値であり、そのような潰れは無視してよい。本紙厚測定において凹部の潰れによって生ずる紙厚差は無視できる。
【００３０】
また、本発明に係るトイレットペーパーは、水解性が４０秒以内、好ましくは２０秒以上４０秒以下であるのがよい。水解性が４０秒以内であれば、水洗トイレ等に流水廃棄した際に配管を詰まらせるおそれは小さい。また、２０秒以上であれば、シャワートイレ使用後の多量の水分を拭き取る際においても直ちに繊維がほぐれて破るおそれが小さくなる。この水解性（ほぐれやすさ）の測定は、ＪＩＳ Ｐ ４５０１（１９９３）による。ほぐれやすさの試験は、水３００ｍＬ（水温２０±５℃）を入れた３００ｍＬのビーカーをマグネチックスターラーに載せ、回転子の回転数を６００±１０回転／分になるように調整する。その中に一辺が１００±２ｍｍ角の試験片を投入し、ストップウォッチを押す。回転子の回転数は試験片の抵抗によって、いったん約５００回転に下降し、試験片がほぐれるに従い回転数は上昇する。この回転数が５４０回転までに回復した時点でストップウォッチを止め、その時間を１秒単位で測定する。ほぐれやすさの結果は、試験を５回行い、その平均で表す。回転子は、直径３５ｍｍ、厚さ１２ｍｍの円盤状のものとする。
【００３１】
以下、実施例を参照しながらさらに本発明にかかるトイレットペーパーの効果について説明する。
【実施例】
【００３２】
次いで、本発明のトイレットペーパーの実施例及び比較例について「吸水量」、「水解性」を測定した。また、「風合い」について官能評価試験を行った。この官能評価試験は、被験者を１０名として、実際にトイレットペーパーを使用し、柔らかさ、肌触りなどの主に硬質感に関する風合いについて評価するようにした。評価は、５段階として、良い＝５点、やや良い＝４点、どちらでもない＝３点、やや悪い＝２点、悪い＝１点として点数付けを行い、その平均値を算出した。
【００３３】
また、各例に係るトイレットペーパーは、トイレットロールを製造し、そのトイレットロールから引き出したものとした。なお、トイレットペーパーにはダブルエンボス加工による両面凹部を有する形態である。各例に係る物性・組成は、下記表１のとおりとなった。
【００３４】
【表１】
2020162903.tif 000002
【００３５】
本発明に係る実施例１及び２は、一過性湿潤紙力剤と乾燥紙力剤の両方を含むものであり、吸水量が非常に高い結果となった。実施例１と実施例２は、エンボスの深さ変化させたが、実施例２のようにエンボス深さを浅くしても十分な吸水量が得られた。また、比較例１は、汎用タイプの市販品であり、一過性湿潤紙力剤と乾燥紙力剤を含まないものである。この比較例１と実施例１及び実施例２とを対比すると、吸水量が４倍以上となる結果が得られた。さらに、比較例２は、乾燥紙力剤を含むが、一過性湿潤紙力剤を含まないものである。実施例１よりもエンボスの深さを深くしたが、吸水量は実施例１よりも低い。比較例３は、一過性湿潤紙力剤を含むが、乾燥紙力剤を含まないものである。エンボスの深さは実施例１よりも深くしたが、吸水量が実施例１及び実施例２ほど高まっていない。比較例４は、一過性湿潤紙力剤を含まず、乾燥紙力剤を添加し、さらに、坪量を高くしたものであるが、乾燥引張強度が高くなりすぎて、風合いが過度に悪化し、水解性も悪化した。
【００３６】
このように本発明の実施例のように、一過性湿潤紙力剤と乾燥紙力剤の両方を含み乾燥引張強度を７００〜８００ｃＮ／２５ｍｍとすることで、高い吸水量と風合いに優れるものとなり、シャワートイレを使用した後の水分が付着した肌をふき取る際において十分な強度と風合いがあり、安心感のある高い水分吸収性を有し、水分が手に浸透しがたいトイレットペーパーとなる。
【符号の説明】
【００３７】
１…トイレットロール、１０…トイレットペーパー、２０…紙管（管芯）、Ｌ１…トイレットロールの巻径（直径）、Ｌ２…トイレットロールの管芯の直径、Ｌ３…トイレットロールの幅。
【図１】
2020162903.tif 000003
【図２】
2020162903.tif 000004